(57)【要約】【課題】ボールねじのボールねじ軸を支持する軸受として好適な多点接触玉軸受を提供する。【解決手段】玉１０ｃの直径をＤ、外輪側軌道溝１０ｅの曲率をＲｅ、内輪側軌道溝１０ｆの曲率をＲｉ、玉１０ｃと軌道溝１０ａ，１０ｂとの接触角をαとしたとき、接触角αを１２．５°＜α≦３２．５°とし、かつ玉１０ｃの直径に対する軌道溝１０ｅ，１０ｆの曲率比をＲｅ／Ｄ＝Ｒｉ／Ｄ＝０．５４〜０．６１とする。また、封入グリースの基油動粘度を基油温度４０℃で１００×１０−６〜１３０×１０−６ｍ２／ｓとする。【選択図】  図６
2004270792.tif 000002
【特許請求の範囲】
【請求項１】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが１２．５°＜α≦１７．５°であると共に前記玉の直径に対する前記軌道溝の曲率比Ｒ／ＤがＲ／Ｄ＝０．５４〜０．５５５であり、かつ封入グリースの基油動粘度が基油温度４０℃で１００×１０−６〜１３０×１０−６ｍ２／ｓであることを特徴とする多点接触玉軸受。
【請求項２】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが１７．５°＜α≦２２．５°であると共に前記玉の直径に対する前記軌道溝の曲率比Ｒ／Ｄが０．５５５＜Ｒ／Ｄ≦０．５７であり、かつ封入グリースの基油動粘度が基油温度４０℃で１００×１０−６〜１３０×１０−６ｍ２／ｓであることを特徴とする多点接触玉軸受。
【請求項３】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが２２．５°＜α≦２７．５°であると共に前記玉の直径に対する前記軌道溝の曲率比Ｒ／Ｄが０．５７＜Ｒ／Ｄ≦０．５９であり、かつ封入グリースの基油動粘度が基油温度４０℃で１００×１０−６〜１３０×１０−６ｍ２／ｓであることを特徴とする多点接触玉軸受。
【請求項４】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが２７．５°＜α≦３２．５°であると共に前記玉の直径に対する前記軌道溝の曲率比Ｒ／Ｄを０．５９＜Ｒ／Ｄ≦０．６１であり、かつ封入グリースの基油動粘度が基油温度４０℃で１００×１０−６〜１３０×１０−６ｍ２／ｓであることを特徴とする多点接触玉軸受。
【請求項５】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが１２．５°＜α≦１７．５°であると共に前記玉の直径に対する前記軌道溝の曲率比Ｒ／ＤがＲ／Ｄ＝０．５４〜０．５５５であり、かつ潤滑油の動粘度が潤滑油温度４０℃で１００×１０−６〜１３０×１０−６ｍ２／ｓであることを特徴とする多点接触玉軸受。
【請求項６】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが１７．５°＜α≦２２．５°であると共に前記玉の直径に対する前記軌道溝の曲率比Ｒ／Ｄが０．５５５＜Ｒ／Ｄ≦０．５７であり、かつ潤滑油の動粘度が潤滑油温度４０℃で１００×１０−６〜１３０×１０−６ｍ２／ｓであることを特徴とする多点接触玉軸受。
【請求項７】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが２２．５°＜α≦２７．５°であると共に前記玉の直径に対する前記軌道溝の曲率比Ｒ／Ｄが０．５７＜Ｒ／Ｄ≦０．５９であり、かつ潤滑油の動粘度が潤滑油温度４０℃で１００×１０−６〜１３０×１０−６ｍ２／ｓであることを特徴とする多点接触玉軸受。
【請求項８】
外輪および内輪に形成された軌道溝に対して３点以上で接触する多数の玉を有する多点接触玉軸受であって、
前記玉の直径をＤ、前記軌道溝の曲率をＲ、前記玉と軌道溝との接触角をαとしたとき、前記接触角αが２７．５°＜α≦３２．５°であると共に前記玉の直径に対する前記軌道溝の曲率比Ｒ／Ｄを０．５９＜Ｒ／Ｄ≦０．６１であり、かつ潤滑油の動粘度が潤滑油温度４０℃で１００×１０−６〜１３０×１０−６ｍ２／ｓであることを特徴とする多点接触玉軸受。
【発明の詳細な説明】
【０００１】
【発明の属する技術分野】
本発明は、一般産業機械に使用される回転軸支持用軸受や減速機、ロボットの間節部用多点接触玉軸受あるいはＩＴ関連製品の製造工程や組立工程などで半導体チップ、液晶等の電子部品を基板上に実装もしくは装着する電子部品実装装置や、放電加工機、レーザ加工機等の非切削型工作機械あるいは小径ねじ、穴加工で使用されるタッピングセンター等の軽切削型工作機械などで使用される精密位置決め用ボールねじのボールねじ軸を支持するボールねじ軸支持用軸受などとして用いられる多点接触玉軸受に関する。
【０００２】
【従来の技術】
従来、たとえば電子部品実装装置や工作機械等で使用される精密位置決め用ボールねじのボールねじ軸は、図２５に示されるような軸受装置によって支持されていることが多い。この軸受装置は二列組合せ軸受１と、この二列組合せ軸受１の周囲を密封する軸受ハウジング２と、この軸受ハウジング２の軸方向両端部に設けられたオイルシール３とからなり、二列組合せ軸受１は、図２６に示されるように、二つのアンギュラ玉軸受４から構成されている。これらのアンギュラ玉軸受４は外輪４ａ、内輪４ｂ、玉４ｃ等からなり、内輪４ｂは、図２５に示されるように、ボールねじ軸５の端部に形成された大径軸部５ａの端面に押えリング６及びナット７によって押付け固定されている。なお、軸受ハウジング２は円筒状のハウジング本体２ａと、このハウジング本体２ａのフランジ部２ｂにボルト接合される環状の外輪押え２ｃとから構成されている。一般の産業機械等の回転軸端支持においても、ほぼ同様の構造を用いている場合が多い。
【０００３】
ところで、アンギュラ玉軸受は深溝玉軸受に比べ、以下のような特徴を持っている。
▲１▼  一列当りの玉数が多く、荷重負荷能力や剛性が大きい。
▲２▼  保持器形状が強固であり、高速回転が可能。
▲３▼  単列では一方向のアキシャル荷重しか負荷することができないが、アンギュラ玉軸受を二列の組合せとすることにより、両方向のアキシャル荷重を負荷することが可能となる。
【０００４】
▲４▼  二つのアンギュラ玉軸受の端面間に形成されるギャップｇ（図２６参照）を調整することにより、軸受の内部すき間を無くし、予め内部荷重を発生させること（いわゆる定位置予圧）が容易である。予圧をかけることで、軸受剛性の向上や高回転精度を得ることが可能となる。
アンギュラ玉軸受は以上のような特徴を持っていることから、一般産業機械の回転軸端支持や減速機の軸、あるいはロボットの関節部等に広く使用されている。他にも、旋盤やフライス盤、研削盤等の工作機械においてスピンドルを支持する軸受と使用される他、高精度の位置決めを必要とする機械（例えば工作機械用精密ボールねじ、電子部品高速装着機用精密ボールねじ、搬送ロボット用ボールねじ等）にも広く使用されている。しかし、ボールねじのボールねじ軸を支持する軸受としてアンギュラ玉軸受を使用する場合、ボールねじ軸には両アキシャル方向の負荷荷重が作用するため、単列のアンギュラ玉軸受のみではボールねじ軸に作用する負荷荷重を支持することができない。従って、切削型あるいは研削型工作機械のベッドを移動させる手段として用いられるボールねじでは、加工荷重の反力による変位を最小限に抑え、かつ所要の加工精度を得るために、軸方向剛性が極めて大きく、かつ接触角が６０°程度のスラストアンギュラ玉軸受を２〜４列に組合せたものをボールねじ支持用軸受として使用している場合が多い。この場合、ラジアル方向の負荷荷重は、ボールねじとセットで使用されるリニアガイドやアリ溝が受ける構造となっている。
【０００５】
一方、放電加工機、レーザ加工機等の電解加工型工作機械や電子部品実装装置、部品搬送ロボット等では、実加工時の負荷荷重が比較的小さいことから、ボールねじ軸を支持する軸受として、例えば内径寸法が６ｍｍ〜４０ｍｍ程度で、接触角が１５°〜３０°程度の標準型アンギュラ玉軸受（寸法系列７０××、７２××等）を二列に組合せ、数十Ｎから数百Ｎの比較的小さな予圧をかけたものを使用する場合が多い。
【０００６】
【発明が解決しようとする課題】
しかしながら、このようなボールねじ支持用軸受は、単列のものに比較して約２倍のスペースを必要とするため、ボールねじの軸方向長さ増大を招くという問題があった。また、１つの機械で数ヶ所に使用される場合、ボールねじ支持用軸受同士が干渉することが懸念される。これに加えて、最近では、部品の実装速度を上げてタクトタイムを短縮化することが要求されており、可動部分の軽量化による急加減速時の慣性力軽減要求も非常に高い。これらの急加減速下の使用条件下では、停止状態から急加速する過程で、軸受の転がり接触部のＥＨＬ油膜形成が不十分であるため、金属接触により局部発熱が生じ易くなり、特に、１００ｍｉｎ−１前後の低速の領域では、回転増に伴う滑り速度の増加も加わって摩耗等が発生し易くなる。
【０００７】
一方、減速機のアウトプット軸やロボットの関節部等の用途でも、工場内の組立や搬送工程の中で使用されることが多いため、省スペース化の志向も出てきている。また、これらの用途では、ラジアル荷重やモーメント荷重を負荷しながら、６０〜１００ｍｉｎ−１前後の低速回転で使用される場合が多く、やはり転がり接触部のＥＨＬ油膜が不完全な状態となっている。昼夜にわたる連続運転等の使用条件の過酷化が重なると、軸受に不具合が発生することがある。
【０００８】
本発明は上記のような問題点に鑑みてなされたものであり、その目的とするところは、各種機械の回転支持用軸受として、現在使用されている二列組合せアンギュラ玉軸受からの代替が可能で、かつ正確な位置決めと予圧付与が可能であると共に、油膜形成が不十分な急加減速時や低速回転時などに安定した性能を得ることのできる多点接触玉軸受を提供することにある。
【０００９】
【課題を解決するための手段】
上記の目的を達成するために、請求項１の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが１２．５°＜α≦１７．５°であると共に前記玉の直径に対する前記軌道溝の曲率比Ｒ／ＤがＲ／Ｄ＝０．５４〜０．５５５であり、かつ封入グリースの基油動粘度が基油温度４０℃で１００×１０−６〜１３０×１０−６ｍ２／ｓであることを特徴とする。
【００１０】
請求項２の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが１７．５°＜α≦２２．５°であると共に前記玉の直径に対する前記軌道溝の曲率比Ｒ／Ｄが０．５５５＜Ｒ／Ｄ≦０．５７であり、かつ封入グリースの基油動粘度が基油温度４０℃で１００×１０−６〜１３０×１０−６ｍ２／ｓであることを特徴とする。
【００１１】
請求項３の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが２２．５°＜α≦２７．５°であると共に前記玉の直径に対する前記軌道溝の曲率比Ｒ／Ｄが０．５７＜Ｒ／Ｄ≦０．５９であり、かつ封入グリースの基油動粘度が基油温度４０℃で１００×１０−６〜１３０×１０−６ｍ２／ｓであることを特徴とする。
【００１２】
請求項４の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが２７．５°＜α≦３２．５°であると共に前記玉の直径に対する前記軌道溝の曲率比Ｒ／Ｄを０．５９＜Ｒ／Ｄ≦０．６１であり、かつ封入グリースの基油動粘度が基油温度４０℃で１００×１０−６〜１３０×１０−６ｍ２／ｓであることを特徴とする。
【００１３】
請求項５の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが１２．５°＜α≦１７．５°であると共に前記玉の直径に対する前記軌道溝の曲率比Ｒ／ＤがＲ／Ｄ＝０．５４〜０．５５５であり、かつ潤滑油の動粘度が潤滑油温度４０℃で１００×１０−６〜１３０×１０−６ｍ２／ｓであることを特徴とする。
【００１４】
請求項６の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが１７．５°＜α≦２２．５°であると共に前記玉の直径に対する前記軌道溝の曲率比Ｒ／Ｄが０．５５５＜Ｒ／Ｄ≦０．５７であり、かつ潤滑油の動粘度が潤滑油温度４０℃で１００×１０−６〜１３０×１０−６ｍ２／ｓであることを特徴とする。
【００１５】
請求項７の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが２２．５°＜α≦２７．５°であると共に前記玉の直径に対する前記軌道溝の曲率比Ｒ／Ｄが０．５７＜Ｒ／Ｄ≦０．５９であり、かつ潤滑油の動粘度が潤滑油温度４０℃で１００×１０−６〜１３０×１０−６ｍ２／ｓであることを特徴とする。
【００１６】
請求項８の発明は、外輪および内輪に形成された軌道溝に対して３点以上で接触する多数の玉を有する多点接触玉軸受であって、前記玉の直径をＤ、前記軌道溝の曲率をＲ、前記玉と軌道溝との接触角をαとしたとき、前記接触角αが２７．５°＜α≦３２．５°であると共に前記玉の直径に対する前記軌道溝の曲率比Ｒ／Ｄを０．５９＜Ｒ／Ｄ≦０．６１であり、かつ潤滑油の動粘度が潤滑油温度４０℃で１００×１０−６〜１３０×１０−６ｍ２／ｓであることを特徴とする。
【００１７】
【作用】
本発明に係る多点接触玉軸受は、一般産業機械の回転支持や、減速機出力軸あるいはロボットの関節部の支持軸受、放電加工機、レーザ加工機等の電解加工型工作機械や電子部品実装装置、電子部品装着機、各種ボンダー、ハンドラー、搬送ロボット等で使用される精密位置決め用ボールねじのボールねじ軸を支持する軸受として好適である。
【００１８】
一般産業機械の一部に使用されている多点接触玉軸受は、図１８に示されるように、内部すき間Ｇが残っている状態で製作され、アキシャル荷重を専用で負荷する用途で使用される場合が多い。例えば、多点接触玉軸受をスクリューコンプレッサ等で使用する場合は、ラジアル荷重負荷用円筒ころ軸受と並列に使用され、スクリューローダ軸に作用するアキシャル荷重のみを受ける構造となっている。また、ジェットエンジンやガスタービン等で多点接触玉軸受を使用する場合は、タービン軸推力のみを負荷し、ラジアル荷重がほとんど負荷しない条件での使用となる。つまり、多点接触玉軸受とは呼びつつも実際の使用条件においては、図１９に示されるように、軌道輪１０ａ，１０ｂに形成された軌道溝１０ｅ，１０ｆと玉１０ｃとはそれぞれ一点で接触する標準の玉軸受としての使用がほとんどであった。この理由は、玉と軌道溝とが多点で接触することによって、通常の転がり運動と共に発生するスピン滑り等が標準アンギュラ玉軸受に比べ玉と軌道溝との接触部間で極端に増加するためである。このため、運転時の発生トルクも大きく、発熱も異常に高くなり、安定した運転は望めない。
【００１９】
このような理由から、多点で常時接触する予圧条件下での使用は極めて少なく、インデックステーブルや旋回輪等、軸受のｄｍｎ値（ｄｍ：転動体ピッチ円直径（ｍｍ）とｎ：回転数（ｍｉｎ−１）との積）が数万程度の回転数が極めて低い用途に限定されていた。
本発明に係る多点接触玉軸受は、加工物の位置決め精度を確保するために、単列軸受でありながら予圧をかけられる構造である。また、予圧による多点接触条件下においても玉と軌道溝との接触部のスピン滑り等を抑制し、油膜形成不良を発生させることもなく、軸受の発熱や摩耗を抑え、低トルクで円滑に回転できる構造である。
【００２０】
本発明に係る多点接触玉軸受では、軸方向の取付けスペースが従来の二列組合せアンギュラ玉軸受の約半分で済むため、省スペース化が可能となり、部品間の干渉問題が軽減される。また、内輪取付け分のねじ軸端部寸法が短くなる分を含めた可動部分の軽量化が図られ、急加速及び急減速時のイナーシャ（慣性力）が軽減されるので、電子部品の製造工程や組立工程で使用される機械（例えば電子部品実装装置、各種ボンダー、ハンドラー、搬送ロボット等）の実装速度を向上してタクトタイムの短縮に寄与できる。
【００２１】
本発明に係る多点接触玉軸受は、内外輪に形成された軌道溝が単一の曲率ではなく、二種類の円弧（いわゆるゴシックアーチ）で形成されている多点接触玉軸受である。外輪または内輪のいずれか一方はラジアル方向にニ分割されている。保持器は一例として、冠型で柔軟性のある形状を採用でき、保持器材質は例えばポリアミド・ポリアセタール・ポリフェニレンサルファイド等の合成樹脂材を用いることができる。本発明に係る多点接触玉軸受は、軸受の負荷容量や剛性を上げるために、隣り合う玉間の円周ピッチを極力小さくし、標準のアンギュラ玉軸受に比べ、玉径を同等サイズかやや小さくし、玉数を多くしている。また、負荷容量を上げる等の必要性が生じた場合、保持器のない総玉設計も可能である。この場合、玉同士が接触して玉表面の摩耗が発生することがあり得るが、表面を窒化処理して表面硬度を高めたＤＳボール（特願２０００−３６８６０２号）や窒化ケイ素、ジルコニア等のセラミックからなる玉を用いれば、玉の摩耗は解消できる。また、軌道溝の摩耗対策として、軌道輪の軌道面にＮＶ窒化処理（特願２０００−３５６２１１号）やリン系被膜処理（特開平９−５３６４１号公報）を施してもよい。さらに、転がり疲労寿命を向上させる方策として、従来の軸受鋼に対して材料内部の不純物濃度を少なくした高清浄度ＥＰ鋼（特許第３０１８３５５号）を軌道輪材料として用いてもよい。
【００２２】
また、防水性や防塵性を向上させるために、必要に応じて軌道輪の両端面に接触または非接触タイプのシールを付属することもできる。従来のアンギュラ玉軸受にシールを装着する場合、軸方向スペースがさらに増加する問題があったが、本発明では小径玉化と保持器の考案により、単列の幅で可能である。
仮に、旋盤、フライス盤、マニシングセンター等の工作機械に使用される精密位置決め用ボールねじの支持軸受として本発明に係る軸受を使用する場合、内外輪端面の段差を調整した（通称、差幅調整という）本発明品を２列〜３列程度組合せ使用することで、負荷容量や剛性に対応することができる。
【００２３】
分割された内輪または外輪の隣り合う端面間には、幾何的に４点接触した状態（軸受接触角α）で適度な予圧すき間が形成されており、標準組合せアンギュラ玉軸受同様に、軸受ナットや抑えふたで分割された内輪または外輪端部を軸方向に押付け固定することで、適正な予圧をかけることができる。
【００２４】
【発明の実施の形態】
以下、本発明の実施の形態を図面に基づいて説明する。
図１は本発明の第１の実施形態に係るボールねじ支持用軸受の構造を示す断面図であり、同図に示されるように、第１の実施形態に係るボールねじ支持用軸受は、ボールねじ軸５を支持する４点接触玉軸受１０と、この玉軸受１０の周囲を密封する軸受ハウジング２と、この軸受ハウジング２の軸方向両端部に設けられたオイルシール３とから構成されている。
【００２５】
図２は、４点接触玉軸受１０の軸方向断面図である。同図に示されるように、４点接触玉軸受１０は外輪１０ａ、内輪１０ｂ、玉１０ｃ及び保持器１０ｄ等から形成されており、外輪１０ａの内周面には、軌道溝１０ｅが外輪１０ａの円周方向に沿って形成されている。この軌道溝１０ｅの軸方向断面は、図３に示されるように、Ｒｅの曲率半径を有する二つの円弧つまりゴシックアーチ状に形成されており、これにより、玉１０ｃは軌道溝１０ｅと二点で接触するようになっている。
【００２６】
一方、内輪１０ｂの外周面には軌道溝１０ｆが内輪１０ｂの円周方向に沿って形成されている。この軌道溝１０ｆの軸方向断面は、図４に示されるように、Ｒｉの曲率半径を有する二つの円弧つまりゴシックアーチ状に形成されており、これにより、玉１０ｃは軌道溝１０ｆと二点で接触するようになっている。
４点接触玉軸受１０の内輪１０ｂは、図１に示されるように、ボールねじ軸５の端部に形成された大径軸部５ａの端面に押えリング６及びナット７によって押付け固定されている。また、この内輪１０ｂはその軸方向中央部がラジアル方向にニ分割されており、分割された内輪の隣り合う端面間には、幾何的に４点接触した状態（軸受接触角α）で適度な予圧すき間１１（図６参照）が形成されている。
【００２７】
図５は、玉１０ｃと保持器１０ｄの一部を示す斜視図である。同図に示されるように、保持器１０ｄは冠形の形状を有しており、ポリアミド・ポリアセタール・ポリフェニレンサルファイド等の合成樹脂材から形成されている。なお、軸受ハウジング２は円筒状のハウジング本体２ａと、このハウジング本体２ａのフランジ部２ｂにボルト接合される環状の外輪押え２ｃとから構成されている。
【００２８】
このような構成において、玉１０ｃの直径をＤ、軌道溝１０ｅ，１０ｆの曲率をＲｅ，Ｒｉ、玉１０ｃと軌道溝１０ｅ，１０ｆとの接触角をαとすると、本実施形態に係る４点接触玉軸受１０は、接触角αが１２．５°＜α≦３２．５°の範囲内にあり、かつ玉の直径に対する軌道溝１０ｅ，１０ｆの曲率比Ｒｅ／Ｄ，Ｒｉ／ＤがＲｅ／Ｄ＝０．５４〜０．６１、Ｒｉ／Ｄ＝０．５４〜０．６１の範囲内にある。
【００２９】
図７は本発明の第２の実施形態に係るボールねじ支持用軸受の構造を示す断面図であり、同図に示されるように、第２の実施形態に係るボールねじ支持用軸受は、ボールねじ軸５を支持する４点接触玉軸受１０と、この玉軸受１０の周囲を密封する軸受ハウジング２と、この軸受ハウジング２の軸方向両端部に設けられたオイルシール３とから構成されている。
【００３０】
４点接触玉軸受１０は、図８に示されるように、外輪１０ａ、内輪１０ｂ、玉１０ｃ等から形成されており、外輪１０ａの内周面には、軌道溝１０ｅが外輪１０ａの円周方向に沿って形成されている。この軌道溝１０ｅの軸方向断面は曲率半径がＲｅの二つの円弧つまりゴシックアーチ状に形成されており、これにより、玉１０ｃは軌道溝１０ｅと二点で接触するようになっている。
【００３１】
一方、内輪１０ｂの外周面には軌道溝１０ｆが軌道溝１０ｅに対向して形成されている。この軌道溝１０ｆの軸方向断面は曲率半径がＲｉの二つの円弧つまりゴシックアーチ状に形成されており、これにより、玉１０ｃは軌道溝１０ｆと二点で接触するようになっている。
４点接触玉軸受１０の内輪１０ｂは、図７に示されるように、ボールねじ軸５の端部に形成された大径軸部５ａの端面に押えリング６及びナット７によって押付け固定されている。また、外輪１０ａはその軸方向中央部がラジアル方向にニ分割されており、分割された外輪の隣り合う端面間には、幾何的に４点接触した状態（軸受接触角α）で適度な予圧すき間１１（図８参照）が形成されている。
【００３２】
このような構成において、玉１０ｃの直径をＤ、軌道溝１０ｅ，１０ｆの曲率をＲｅ，Ｒｉ、玉１０ｃと軌道溝１０ｅ，１０ｆとの接触角をαとすると、本実施形態に係る４点接触玉軸受１０は、接触角αが１２．５°＜α≦３２．５°の範囲内にあり、かつ玉の直径に対する軌道溝１０ｅ，１０ｆの曲率比Ｒｅ／Ｄ，Ｒｉ／ＤがＲｅ／Ｄ＝０．５４〜０．６１、Ｒｉ／Ｄ＝０．５４〜０．６１の範囲内にある。
【００３３】
ところで、多点接触玉軸受をボールねじ支持用軸受として使用する場合、多点接触玉軸受に要求される点は動トルクをある範囲内に抑え、かつスムーズな回転立上り性と回転立下り性を得られる点である。このような要求を満たすために、本発明者は、種々の組合せ条件についてコンピュータによる解析を行い、その解析結果から表１に示すような仕様の実施例Ａ〜Ｄを見出した。
【００３４】
【表１】
2004270792.tif 000003
【００３５】
表１において、実施例Ａは接触角αを１２．５°＜α≦１７．５°とし、かつ玉１０ｃの直径Ｄに対する軌道溝１０ｅ，１０ｆの曲率比（以下、「溝曲率比」という）ｆｉ，ｆｅを０．５４≦ｆｉ≦０．５５５、０．５４≦ｆｅ≦０．５５５とした４点接触玉軸受であり、実施例Ｂは接触角αを１７．５°＜α≦２２．５°とし、かつ溝曲率比ｆｉ，ｆｅを０．５５５＜ｆｉ≦０．５７、０．５５５＜ｆｅ≦０．５７とした４点接触玉軸受である。また、実施例Ｃは接触角αを２２．５°＜α≦２７．５°とし、かつ溝曲率比ｆｉ，ｆｅを０．５７＜ｆｉ≦０．５９、０．５７＜ｆｅ≦０．５９とした４点接触玉軸受であり、実施例Ｄは接触角αを２７．５°＜α≦３２．５°とし、かつ溝曲率比ｆｉ，ｆｅを０．５９＜ｆｉ≦０．６１、０．５９＜ｆｅ≦０．６１とした４点接触玉軸受である。
表１に示した実施例Ａ〜Ｄと従来例（二列組合せアンギュラ玉軸受（７０１０Ａ、軸受内径：５０ｍｍ）の玉径、玉数、玉ＰＣＤ及び予圧すき間の選定値を表２に示す。
【００３６】
【表２】
2004270792.tif 000004
【００３７】
表２に示される従来例Ｅ（従来軸受で製造範囲内で最も動トルクが大きくなる条件）及び実施例Ａ〜Ｄの接触角αをαＥ＝３０°、αＡ＝１７．５°、αＢ＝２２．５°、αＣ＝２７．５°、αＤ＝３２．５°とし、溝曲率比ｆｅ及びｆｉをｆｅＥ＝ｆｉＥ＝０．５２、ｆｅＡ＝ｆｉＡ＝０．５４、ｆｅＢ＝ｆｉＢ＝０．５５６、ｆｅＣ＝ｆｉＣ＝０．５７１、ｆｅＤ＝ｆｉＤ＝０．５９１とした場合における動トルクを表３に示す。
【００３８】
【表３】
2004270792.tif 000005
【００３９】
表３の結果から、接触角αを１７．５°≦α≦３２．５°とし、溝曲率比ｆｅ，ｆｉをｆｅ＝ｆｉ＝０．５４〜０．５９１とすると、動トルクＴｒがＴｒ＝０．２８〜０．２８２Ｎ・ｍとなり、従来例Ｅの動トルクと同一かそれより低い値となることがわかる。
次に、実施例Ａ〜Ｄの接触角αをαＡ＝１５°、αＢ＝２０°、αＣ＝２５°、αＤ＝３０°とし、溝曲率比ｆｅ及びｆｉをｆｅＡ＝ｆｉＡ＝０．５５、ｆｅＢ＝ｆｉＢ＝０．５６、ｆｅＣ＝ｆｉＣ＝０．５８、ｆｅＤ＝ｆｉＤ＝０．６０とした場合における動トルクを表４に示す。
【００４０】
【表４】
2004270792.tif 000006
【００４１】
表４の結果から、接触角αを１５°≦α≦３０°とし、溝曲率比ｆｅ，ｆｉをｆｅ＝ｆｉ＝０．５５〜０．６０とすると、動トルクＴｒがＴｒ＝０．２４〜０．２５５Ｎ・ｍとなり、表２に示す従来例Ｅの動トルクより低い値となることがわかる。
次に、従来例Ｅ（従来軸受で製造範囲内で最も動トルクが小さくなる条件）及び実施例Ａ〜Ｄの接触角αをαＥ＝２９°、αＡ＝１２．６°、αＢ＝１７．６°、αＣ＝２２．６°、αＤ＝２７．６°とし、溝曲率比ｆｅ及びｆｉをｆｅＥ＝ｆｉＥ＝０．５３、ｆｅＡ＝ｆｉＡ＝０．５５５、ｆｅＢ＝ｆｉＢ＝０．５７、ｆｅＣ＝ｆｉＣ＝０．５９、ｆｅＤ＝ｆｉＤ＝０．６１とした場合における動トルクを表５に示す。
【００４２】
【表５】
2004270792.tif 000007
【００４３】
表５の結果から、接触角αを１２．６°≦α≦２７．６°とし、溝曲率比ｆｅ，ｆｉをｆｅ＝ｆｉ＝０．５５５〜０．６１とすると、動トルクＴｒがＴｒ＝０．２１５〜０．２２２Ｎ・ｍとなり、表２に示す従来例Ｅの動トルク下限値より大きい値となることがわかる。つまり、表１に示す実施例Ａ〜Ｄを採用することで、従来例の（製造）実績範囲内の動トルク内に抑えることが可能となる。
【００４４】
表３〜表５の結果を基に動トルクＴｒと接触角αおよび溝曲率比ｆｉ，ｆｅとの関係を三次元的に解析した結果を図９に、また動トルクＴｒと溝曲率比ｆｉ，ｆｅとの関係を解析した結果を図１０に示す。図９及び図１０の結果からも明らかなように、動トルクを抑えるためには、接触角αと溝曲率比ｆｉ，ｆｅを適正な値で組合せる必要があることがわかる。また、接触角αを１２．６°≦α≦２７．６°とし、溝曲率比ｆｅ，ｆｉをｆｅ＝ｆｉ＝０．５５５〜０．６１とすると、動トルクが小さくなっていくが、動トルクが小さ過ぎると、ボールねじの回転停止時における減速イナーシャにより、速やかな停止ができず、指示位置に対してオーバーシュートする可能性がある。また、軸受のアキシャル剛性が小さくなり、やはり、オーバーシュートが発生し易くなる。さらに、アキシャル負荷容量も小さくなるので、転がり疲労寿命も短くなる不具合が生じる。このことから、動トルクを従来例のバラツキ範囲内に抑え、スムーズな回転立上り性と回転立下り性を得るためには、接触角αと溝曲率比ｆｅ，ｆｉを表１に示す範囲内で組合せる必要があることがわかる。
【００４５】
次に、実施例Ａ〜Ｄの接触角αをαＡ＝１５°、αＢ＝２０°、αＣ＝２５°、αＤ＝３０°とし、溝曲率比ｆｅ及びｆｉをｆｅＡ＝ｆｉＡ＝０．５５、ｆｅＢ＝ｆｉＢ＝０．５６、ｆｅＣ＝ｆｉＣ＝０．５８、ｆｅＤ＝ｆｉＤ＝０．６０とした場合における各軸受のＰＶ値を表６に示す。
【００４６】
【表６】
2004270792.tif 000008
【００４７】
表６の結果から、接触角αを１５°≦α≦３０°とし、溝曲率比ｆｅ，ｆｉをｆｅ＝ｆｉ＝０．５５〜０．６０とすることによって、内輪と玉とのＰＶ値ＰＶｉがＰＶｉ＝４７〜８０ＭＰａ・ｍ／ｓになると共に外輪と玉とのＰＶ値ＰＶｅがＰＶｅ＝３２〜５８ＭＰａ・ｍ／ｓとなり、いずれも従来例のそれより高い値を示すことがわかる。
【００４８】
図１１は表６の結果を基に内輪ＰＶ値と溝曲率比及び接触角との関係を示す図で、図１２は同じく表６の結果を基に内輪ＰＶ値と溝曲率比との関係を示す図である。また、図１３は表６の結果を基に外輪ＰＶ値と溝曲率比及び接触角との関係を示す図で、図１４は同じく表６の結果を基に外輪ＰＶ値と溝曲率比との関係を示す図である。
【００４９】
図１１〜図１４からわかるように、ＰＶ値の大小は動トルク、軸受温度上昇以外に接触部の耐摩耗特性にも影響する。半導体チップ等の電子部品を基板上に実装する電子部品実装装置や放電加工機、レーザ加工機等の電解加工機などでは、最近、ボールねじの高速回転が要求されている。急加速及び急減速時の不安定な滑り条件での耐摩耗特性を満足させるためには、ＰＶ値をより小さくする必要がある。従来例Ｅ及び実施例Ａ〜ＤにおけるＰＶ値をまとめると、表６の通りとなる。動トルク値を一定にした場合、接触角が小さく、かつ溝曲率比の小さいほうがＰＶ値は小さくなる（実施例Ａの方）。いずれの仕様も過去の軸受の実績から判断される限界ＰＶ値以下であるので、摩耗の問題は極めて少ないが、ボールねじ回転部の重量や急加速及び急減速時の発生Ｇに対応して、必要とされるアキシャル剛性要求値や軸受温度上昇特性に応じ、いずれの考案仕様（実施例Ａ〜Ｄ）を選定してもよい。
【００５０】
次に、実施例Ａ〜Ｄの接触角αをαＡ＝１５°、αＢ＝２０°、αＣ＝２５°、αＤ＝３０°とし、溝曲率比ｆｅ及びｆｉをｆｅＡ＝ｆｉＡ＝０．５５、ｆｅＢ＝ｆｉＢ＝０．５６、ｆｅＣ＝ｆｉＣ＝０．５８、ｆｅＤ＝ｆｉＤ＝０．６０とした場合における各軸受のアキシャル変位ａｄ（μｍ／１０００Ｎ：１０００Ｎのアキシャル荷重を負荷した時のアキシャル変位を表す）を表７に示す。
【００５１】
【表７】
2004270792.tif 000009
【００５２】
表７の結果から、接触角αを１５°≦α≦３０°とし、溝曲率比ｆｅ，ｆｉをｆｅ＝ｆｉ＝０．５５〜０．６０とすることによって、各軸受のアキシャル変位ａｄがａｄ＝４〜１４となり、いずれの場合も従来例のアキシャル変位と同一かそれより大きい値を示すことがわかる。
【００５３】
ボールねじのアキシャル剛性は、ボールねじ支持用軸受以外にボールねじ軸とナット間の剛性やボールねじ軸自身の剛性にも影響する。また、使用される機械の種類や使用条件により、要求される剛性値は変わる。
表７の結果から、接触角が大きく、かつ溝曲率比が大きいほう（実施例Ｄ）がアキシャル剛性は大きくなる。前述のＰＶ値の要求も考慮し、必要とされるアキシャル剛性要求に応じて、いずれの考案仕様（実施例Ａ〜Ｄ）を選定してもよい。
【００５４】
図１５は、予圧された多点接触玉軸受（実施例Ｂに相当）に外部からアキシャル荷重を負荷した時の動トルクを、３種類の予圧すき間（Δα＝−５μｍ、−１０μｍ、−１５μｍ）の条件で解析した結果を示す図である。いずれの予圧すき間の場合も動トルクはアキシャル荷重の増加と共に一時的に上昇し、その後、減少して再上昇するという傾向であることがわかる。これは、アキシャル荷重によって軸受の軸方向弾性変形が生じ、内外輪と玉との接触点が初期外部荷重時（０Ｎ）の４点接触から３点あるいは２点接触に変化したことによるものである。このように、初期４点接触からアキシャル荷重の増加と共に２点接触に移行することで、アキシャル荷重が増加しても結果的に動トルクを少なくすることができる。
【００５５】
また、図１５からわかるように、予圧すき間を小さく設定すると、４点から２点接触に移行する過渡期の動トルク最大値も小さくできる。このことは、実使用条件に置き換えれば適正な予圧すき間選定により、急加速及び急減速時の往復動イナーシャ荷重による動トルク増加を接触点の減少によって軽減できることを意味する。種々の解析結果、最低限、ボールねじの軸方向がたを抑え、かつスムーズな回転特性を得るためには、実際の想定荷重条件を考慮した結果、予圧すき間を０〜−１０μｍ程度に設定することで、動トルク軽減効果が出て来ることがわかった。
【００５６】
以上のことから、実施例Ａ及びＤは従来品に比べＰＶ値およびアキシャル剛性の点で機能の低下がやや大きめであり、実施例Ｂあるいは実施例Ｃはバランスがとれており、より好ましい。
次に、表８に示される仕様の試験軸受Ａ〜Ｅ（軸受内径：１２ｍｍ、軸受外径：２８ｍｍ、玉ピッチ円径：２０ｍｍ）を使用して、玉軸受の動トルク特性を回転数：１０〜５０００ｍｉｎ−１（５０００ｍｉｎ−１は軸受のｄｍｎ値として１０万に相当）、潤滑：グリース（４０℃での基油動粘度；１５×１０−６ｍ２／ｓ）の条件で試験した結果を図１６に、また玉軸受の温度上昇特性を上記と同じ条件で試験した結果を図１７に示す。
【００５７】
【表８】
2004270792.tif 000010
【００５８】
図１６及び図１７に示される試験結果から、表８の実施例Ａ〜Ｄは回転数が５０００ｍｉｎ−１（ボールねじ用多点接触玉軸受として使用した場合に想定される最高回転数領域）のときに、その動トルクと軸受温度上昇（軸受温度−室温）が従来のアンギュラ玉軸受（従来例Ｅ）のそれらとほぼ同じ値を示すことがわかる。
【００５９】
また、図１６に示される試験結果から、表８の実施例Ａ〜Ｄは回転数が低速域から高速域に移行したときに、その動トルクの変化が従来例Ｅに比べて小さいことがわかる。したがって、表８の実施例Ａ〜Ｄでは急加減速したときの動トルク変動によるイナーシャ変動を抑えることができ、その結果、ボールねじが急停止したときのオーバーシュート等をより効果的に防止することができる。
【００６０】
以上のことから、本発明に係る多点接触玉軸受は、アンギュラ玉軸受と同等レベル若しくはそれ以上の動トルク特性と温度上昇特性を保持しつつ省スペース化を得ることができる。
次に、同じく表８に示される仕様の軸受から、試験軸受Ｂ（実施例Ｂ）を使用して、封入グリースの基油の動粘度を変えて、動トルクを測定した結果を図２０に示す。
【００６１】
また、動トルク測定と同時に、ハウジングと回転軸との間に微細電流を流し、内外輪溝と転動体（玉）との転がり接触部の回転数変化に伴う導通状態の変動を検証した。これにより、軸受の内外輪溝と転動体との転がり接触部の油膜形成状態の良否を確認できる。転がり接触部の導通状態の変動を測定した測定結果を図２１に示す。なお、図２１において、実線は封入グリースの基油動粘度を１００×１０−６ｍ２／ｓ（基油温度：４０℃）とした場合、破線は封入グリースの基油動粘度を８０×１０−６ｍ２／ｓ（基油温度：４０℃）とした場合、一点鎖線は封入グリースの基油動粘度を１５×１０−６ｍ２／ｓ（基油温度：４０℃）とした場合をそれぞれ示している。
【００６２】
図２０の測定結果から、封入グリースの基油の動粘度（基油温度：４０℃）が１３０×１０−６ｍ２／ｓ以下の場合は動トルクが同等サイズのアンギュラ玉軸受の動トルクとほぼ同じ値となるが、封入グリースの基油の動粘度が１３０×１０−６ｍ２／ｓ（４０℃）を超えると動トルクがかなり大きくなることが分かる。このことから、従来のアンギュラ玉軸受の製造実績範囲内での動トルクのバラツキを考慮すると、封入グリースの基油の動粘度を基油温度４０℃で１３０×１０−６ｍ２／ｓ以下とすることが望ましい。
【００６３】
また、図２１に示す測定結果から、多点接触玉軸受を１００ｍｉｎ−１以上５００ｍｉｎ−１以下の回転数で低速回転させた場合には、封入グリースの基油の動粘度が小さくなるに従ってハウジングと回転軸との間を流れる微細電流の電流値にバラツキが生じ、油膜形成が不安定になることが分かる。
さらに、回転数が１００ｍｉｎ−１のときの電流値を観察すると、封入グリースの基油の動粘度（基油温度：４０℃）が１００×１０−６ｍ２／ｓ未満の場合は、内外輪溝と転動体間を流れる微細電流の電流値が増加することが分かる。このことは、内外輪溝と転動体との間に良好な油膜が形成されず、内外輪溝と転動体とが金属接触状態になっていることを意味する。また、封入グリースの基油の動粘度（基油温度：４０℃）が１００×１０−６ｍ２／ｓ以上の場合は、内外輪溝と転動体間を流れる微細電流の電流値が低下することが分かり、このことは内外輪溝と転動体との間に良好な油膜が形成され、内外輪溝と転動体とが絶縁状態に保たれていることを意味する。
【００６４】
ところで、転がり軸受の潤滑は、弾性流体潤滑理論で説明される。転がり軸受の走行面は非常に滑らかであるが、ミクロ的にみると細かい凹凸を持っている。内外輪溝と転動体との転がり接触部に形成される、いわゆるＥＨＬ油膜厚さは走行面の表面粗さと同じオーダーであり（図２２参照）、現在、油膜パラメータ（Λ）という数値で転がり接触面の油膜形成の良否が論じられており、広く使われている。
【００６５】
Λ＝ｈ／σ
ｈ：ＥＨＬ油膜厚さ
σ：合成粗さ（√（σ１２＋σ２２））
σ１、σ２は接触２面の２乗平均粗さ
油膜パラメータ（Λ）と油膜形成との間には、図２３に示す関係があることが分かっており、潤滑の程度は図中の３領域に分けられる。
【００６６】
今回の実験条件について、油膜パラメータ（Λ）の計算結果を図２４に示す。回転数が１００ｍｉｎ−１では、基油の動粘度が１００×１０−６ｍ２／ｓ（ただし、基油温度４０℃）で油膜パラメータ（Λ）０．７５程度となり、図２３に示す第Ｉ領域と第ＩＩ領域の境界点に位置することが分かり、図２１の実験結果と良く対応する。
【００６７】
減速機のアウトプット軸は、６０〜１２０ｍｉｎ−１程度で連続使用される場合があり、図２１〜図２４の結果から、基油の動粘度を１００×１０−６ｍ２／ｓ以上（ただし、基油温度４０℃）とすることで、油膜形成を良好とし、摩耗等を未然に防止するうえで必要である。
また、前述したように、電子部品実装機やタッピングセンター等でも、急加減速運転をする機会が増加していることから、停止状態から回転数が増加する過程でできるだけ早く油膜が形成されることが必要であり、基油の動粘度をより大きくしたほうがよい。
【００６８】
以上のことから、グリース潤滑の場合は封入グリースの基油動粘度を基油温度４０℃で１００×１０−６〜１３０×１０−６ｍ２／ｓとし、潤滑油潤滑の場合は潤滑油の動粘度を潤滑油温度４０℃で１００×１０−６〜１３０×１０−６ｍ２／ｓとすることが望ましい。なお、基油の動粘度が上記の範囲内であれば、潤滑方式はグリース潤滑、油潤滑のいずれでも構わない。
【００６９】
なお、本発明は上述した実施形態に限定されるものではない。たとえば、上述した実施形態では本発明を４点接触玉軸受に適用したが、本発明を３点接触玉軸受に適用してもよい。また、予圧隙間とせず、図１８に示すように、数μｍ〜数十μｍの軸方向ガタ（プラス隙間）の設定も必要に応じて可能である。
【００７０】
【発明の効果】
以上のように、試作品の実験結果から、本発明は、アンギュラ玉軸受に比べ、同等レベルの動トルク・温度上昇特性が得られることが確認され、本発明に係る多点接触玉軸受を使用することによって、従来のアンギュラ玉軸受と同等又はそれ以上の特性を保持しつつ、省スペース化を図ることができる。
また、軸受内部に封入するグリースの基油の動粘度または油潤滑等で使用する潤滑油の動粘度を１００×１０−６ｍ２／ｓ〜１３０×１０−６ｍ２／ｓ（ただし、基油または潤滑油温度４０℃）としたことにより、低速回転での油膜形成を良好とし、かつ動トルクの上昇も適正範囲内に抑えることができる。
【図面の簡単な説明】
【図１】本発明の第１の実施形態に係るボールねじ支持用軸受の構造を示す断面図である。
【図２】図１に示される４点接触玉軸受の軸方向断面図である。
【図３】図２に示される外輪側軌道溝の断面図である。
【図４】図２に示される内輪側軌道溝の断面図である。
【図５】図２に示される保持器の一部を示す斜視図である。
【図６】図２に示される４点接触玉軸受の予圧すき間を示す図である。
【図７】本発明の第２の実施形態に係るボールねじ支持用軸受の構造を示す断面図である。
【図８】図７に示される４点接触玉軸受の軸方向断面図である。
【図９】表３〜表５の結果を基に動トルクと接触角及び溝曲率比との関係を三次元的に示す図である。
【図１０】表３〜表５の結果を基に動トルクと溝曲率比との関係を示す線図である。
【図１１】表６の結果を基に内輪ＰＶ値と接触角と溝曲率比との関係を三次元的に示す図である。
【図１２】表６の結果を基に内輪ＰＶ値と溝曲率比との関係を示す線図である。
【図１３】表６の結果を基に外輪ＰＶ値と接触角と溝曲率比との関係を三次元的に示す図である。
【図１４】表６の結果を基に外輪ＰＶ値と溝曲率比との関係を示す線図である。
【図１５】外部からアキシャル荷重を負荷した時の動トルクを解析した結果を示す図である。
【図１６】玉軸受の動トルクと回転数との関係を示す図である。
【図１７】玉軸受の軸受温度上昇（軸受温度−室温）と回転数との関係を示す図である。
【図１８】多点接触玉軸受の軸方向断面図である。
【図１９】二点接触玉軸受の軸方向断面図である。
【図２０】封入グリースの基油動粘度を１５×１０−６ｍ２／ｓと１５０×１０−６ｍ２／ｓ（ただし、基油温度４０℃）との間で変更した場合の多点接触玉軸受の動トルクを示す図である。
【図２１】封入グリースの基油動粘度を１５×１０−６ｍ２／ｓと１００×１０−６ｍ２／ｓ（ただし、基油温度４０℃）との間で変更した場合の内外輪溝と転動体との油膜状態を示す図である。
【図２２】転動体走行面の表面粗さと転動体走行面に形成される油膜との関係を示す模式図である。
【図２３】油膜パラメータと油膜形成率との関係を示す図である。
【図２４】軸受回転数と油膜パラメータとの関係を示す図である。
【図２５】従来のボールねじ支持用軸受を示す断面図である。
【図２６】図２５に示される二列組合せ玉軸受の軸方向断面図である。
【符号の説明】
２    軸受ハウジング
３    オイルシール
５    ボールねじ軸
６    押えリング
７    軸受ナット
１０    ４点接触玉軸受
１０ａ    外輪
１０ｂ    内輪
１０ｃ    玉
１０ｄ    保持器
１０ｅ    外輪側軌道溝
１０ｆ    内輪側軌道溝
【図１】
2004270792.tif 000011
【図２】
2004270792.tif 000012
【図３】
2004270792.tif 000013
【図４】
2004270792.tif 000014
【図５】
2004270792.tif 000015
【図６】
2004270792.tif 000016
【図７】
2004270792.tif 000017
【図８】
2004270792.tif 000018
【図９】
2004270792.tif 000019
【図１０】
2004270792.tif 000020
【図１１】
2004270792.tif 000021
【図１２】
2004270792.tif 000022
【図１３】
2004270792.tif 000023
【図１４】
2004270792.tif 000024
【図１５】
2004270792.tif 000025
【図１６】
2004270792.tif 000026
【図１７】
2004270792.tif 000027
【図１８】
2004270792.tif 000028
【図１９】
2004270792.tif 000029
【図２０】
2004270792.tif 000030
【図２１】
2004270792.tif 000031
【図２２】
2004270792.tif 000032
【図２３】
2004270792.tif 000033
【図２４】
2004270792.tif 000034
【図２５】
2004270792.tif 000035
【図２６】
2004270792.tif 000036